(57)【特許請求の範囲】
【請求項１】
車両に装着される車両シートであって、
シート骨格を形成するシートフレームのうち、シートクッション下方の左側を前後方向に延在する左側サイドフレームと、シートクッション下方の右側を前後方向に延在する右側サイドフレームと、
前記シートクッション下方において、前記左側サイドフレームと前記右側サイドフレームとの間に配設されるとともに、下方へと窪んだ窪み部を有するシートパンと、
エアバッグを有し、前記窪み部に保持されるとともに、前記エアバッグが、シートクッション下方から上方へと展開膨張して、事故発生の際に車両シート着座状態の車両乗員の車両前方への移動に抗するように設定されたエアバッグモジュールと、
前記窪み部と当該窪み部の外部領域との間おいて、上下方向に関する高低差が付与された段差部と、
を備え、
前記エアバッグモジュールは、事故発生の際にエアバッグ膨張用ガスを発生して前記エアバッグに供給するガス供給部と、前記ガス供給部を収容するリテーナーと、前記リテーナーに取り付けられ当該エアバッグモジュールを前記シートパン側に固定する固定用ボルトとを備え、前記段差部に当接した状態で前記窪み部に仮保持されるとともに、その仮保持位置から前記段差部を回動支点として保持位置への回転動作が可能とされ、また前記回転動作に伴って前記固定用ボルトが近接する前記シートパン側の所定位置に、当該記固定用ボルトが挿設される貫通孔が設けられていることを特徴とする車両シート。
【請求項２】
請求項１に記載の車両シートであって、
前記窪み部に保持された前記エアバッグモジュールが前記段差部を被覆する第１の状態と、当該被覆が解除された第２の状態との視認結果に基づいて、当該エアバッグモジュールの前記外部領域側へのはみ出しを判別可能とする判別機構を備えることを特徴とする車両シート。
【請求項３】
請求項１又は２に記載の車両シートであって、
前記シートフレームのうち、前記窪み部の下方にて前記左側サイドフレームと前記右側サイドフレームを接続するブラケットを備え、
事故発生の際のエアバッグ展開膨張時の圧力を、前記シートパン、及び前記窪み部の下方に位置する前記ブラケットが受けるように構成されていることを特徴とする車両シート。
【請求項４】
請求項１〜３のいずれか１項に記載の車両シートと、
前記車両シートに着座した車両乗員を拘束するシートベルトと、
を備え、
前記車両シートに着座している車両乗員に対し前記シートベルトが装着されたシートベルト装着状態において、事故発生の際の当該車両乗員の腰部の前方移動に伴って当該車両乗員が座面に沿って前記シートベルトを潜ろうとする動作を、前記車両シートに搭載された前記エアバッグモジュールによって阻止する構成であることを特徴とする車両。
【請求項５】
シート骨格を形成するシートフレームのうち、シートクッション下方の左側を前後方向に延在する左側サイドフレームと、シートクッション下方の右側を前後方向に延在する右側サイドフレームと、
前記シートクッション下方において、前記左側サイドフレームと前記右側サイドフレームとの間に配設されるとともに、下方へと窪んだ窪み部を有するシートパンと、
前記窪み部と当該窪み部の外部領域との間おいて、上下方向に関する高低差が付与された段差部と、
を備える車両シートにおいて、
エアバッグを有し、前記窪み部に保持されるとともに、前記エアバッグが、シートクッション下方から上方へと展開膨張して、事故発生の際に車両シート着座状態の車両乗員の車両前方への移動に抗するように設定されたエアバッグモジュールであって、
事故発生の際にエアバッグ膨張用ガスを発生して前記エアバッグに供給するガス供給部と、前記ガス供給部を収容するリテーナーと、前記リテーナーに取り付けられ当該エアバッグモジュールを前記シートパン側に固定する固定用ボルトとを備え、前記段差部に当接した状態で前記窪み部に仮保持されるとともに、その仮保持位置から前記段差部を回動支点として保持位置への回転動作が可能とされ、また前記回転動作に伴って前記固定用ボルトが近接する前記シートパン側の所定位置に、当該記固定用ボルトが挿設される貫通孔が設けられていることを特徴とするエアバッグモジュール。
【発明の詳細な説明】
【技術分野】
【０００１】
本発明は、車両シートに係り、詳しくは、事故発生の際に車両シート着座状態の車両乗員の車両前方への移動に抗してエアバッグがシートクッション下方から上方へと展開膨張する構成のエアバッグモジュールを搭載した車両シートの構築技術に関するものである。
【背景技術】
【０００２】
従来、車両シートに着座している車両乗員に対しシートベルトが装着されたシートベルト装着状態において、事故発生の際の当該車両乗員の腰部の前方移動に伴って当該車両乗員が座面に沿ってシートベルトを潜ろうとする現象、いわゆる「サブマリン現象」と称呼される現象の発生を阻止しようとする種々の技術が提案されている。例えば、下記特許文献１には、事故発生の際に車両乗員の車両前方への移動を阻止するべく、膨張したエアバッグがシートクッションを下方から圧縮する構成の車両シートが開示されているが、この種の車両シートの設計に際しては、特にエアバッグモジュールの組み付け性の向上を図るのに有効な車両シートを構築する技術に対する要請がある。
【特許文献１】特開平５−２２９３７８号公報
【発明の開示】
【発明が解決しようとする課題】
【０００３】
そこで本発明では、事故発生の際に車両シート着座状態の車両乗員の車両前方への移動に抗してエアバッグがシートクッション下方から上方へと展開膨張する構成のエアバッグモジュールを搭載した車両シートにおいて、エアバッグモジュールの組み付け性の向上を図るのに有効な技術を提供することを課題とする。
【課題を解決するための手段】
【０００４】
前記課題を解決するために、本発明が構成される。なお、本発明は、自動車車両をはじめ、トラック、バス、電車、船舶等の各種の車両に搭載される車両シートの構築技術に適用され得る。
【０００５】
本発明にかかる車両シートは、車両に装着される車両シートであって、左側サイドフレーム、右側サイドフレーム、シートパン、エアバッグモジュール、段差部を少なくとも備える構成とされる。
【０００６】
本発明の左側サイドフレームは、シート骨格を形成するシートフレームのうち、シートクッション下方の左側を前後方向に延在するシートフレーム構成部材とされる。本発明の右側サイドフレームは、シート骨格を形成するシートフレームのうち、シートクッション下方の右側を前後方向に延在するシートフレーム構成部材とされる。
【０００７】
本発明のシートパンは、シートクッション下方において、左側サイドフレームと右側サイドフレームとの間に配設されるとともに、下方へと窪んだ窪み部を有する構成とされる。本発明でいう「シートパン（seat  pan）」は、車両シートの座席底面を構成する部材であって、特にはシートクッションを受けるシートクッションパネル、シートクッションフレームないしシートクッションボードとしても定義され得る。本発明では、シートパンに設けられたこの窪み部がエアバッグモジュールを保持可能とされる。このシートパンの配設態様に関しては、当該シートパンの全部または一部が左側サイドフレームと右側サイドフレームとの間に配設されればよく、このシートパンが左側サイドフレーム及び右側サイドフレームに溶接、若しくはボルトナットによる締結などによって架設状に固定される構成や、左側サイドフレームと右側サイドフレームとの間に位置する部材に溶接、若しくはボルトナットによる締結などによって固定される構成を採り得る。
【０００８】
本発明のエアバッグモジュールは、エアバッグを有し、シートパンの窪み部に保持されるとともに、エアバッグが、シートクッション下方から上方へと展開膨張して、事故発生の際に車両シート着座状態の車両乗員の車両前方への移動に抗するように設定された構成とされる。このエアバッグモジュールは、典型的には所定の折り畳み態様にて折り畳まれて収容されるエアバッグ、事故発生の際にエアバッグ膨張用ガスを発生してエアバッグに供給するガス供給部、ガス供給部を収容するリテーナーを主体に構成される。このエアバッグモジュールは、「エアバッグ装置」或いは「乗員拘束装置」を称呼することもできる。
【０００９】
本発明の段差部は、窪み部と当該窪み部の外部領域との間おいて、上下方向に関する高低差が付与された段差部として構成される。エアバッグモジュールは、事故発生の際にエアバッグ膨張用ガスを発生してエアバッグに供給するガス供給部と、ガス供給部を収容するリテーナーと、リテーナーに取り付けられ当該エアバッグモジュールをシートパン側に固定する固定用ボルトとを備え、段差部に当接した状態で窪み部に仮保持されるとともに、その仮保持位置から段差部を回動支点として保持位置への回転動作が可能とされ、またその回転動作に伴って固定用ボルトが近接する前記シートパン側の所定位置に、当該記固定用ボルトが挿設される貫通孔が設けられている。
【００１０】
本発明によれば、シートパンに設けられた窪み部の窪み形状にしたがってエアバッグモジュールを容易に当該窪み部内へと誘導して保持することができるため、エアバッグモジュールの組み付け性の向上を図ることが可能となる。
【００１１】
本発明にかかる車両シートは、前記の構成において判別機構を備える。
本発明の判別機構は、窪み部に保持されたエアバッグモジュールが段差部を被覆する第１の状態と、当該被覆が解除された第２の状態との視認結果に基づいて、当該エアバッグモジュールの外部領域側へのはみ出しを判別可能とする機構とされる。すなわち、段差部の全部或いは一部が視認できない場合には、エアバッグモジュールが段差部を被覆した第１の状態であり、エアバッグモジュールの後端面が段差部を越えて外部領域側にはみ出していると判別される。このとき、エアバッグモジュールが適正な位置にないと判定することができる。一方、段差部の全部が視認できる場合には、エアバッグモジュールが段差部を被覆していない第２の状態であり、エアバッグモジュールの後端面が段差部を越えず外部領域側にはみ出していないと判別される。このとき、エアバッグモジュールが適正な位置にあると判定することができる。エアバッグモジュールの外部領域側へのはみ出しを判別することによって、当該エアバッグモジュールがエアバッグカバー等によって挟み込まれるのを防止することが可能となる。
このような構成によれば、エアバッグモジュールのはみ出しを判別するのに段差部を用いた合理的な車両シートが提供される。
【００１２】
本発明にかかる車両シートは、前記の構成において、シートフレームのうち、窪み部の下方にて左側サイドフレームと右側サイドフレームを接続するブラケットを備える。本発明のブラケットは、シート骨格を形成するシートフレームのうち、窪み部の下方にて左側サイドフレームと右側サイドフレームを接続するシートフレーム構成部材とされる。このブラケットと左側サイドフレーム及び右側サイドフレームは、典型的には溶接、若しくはボルトナットによる締結などによって接続される。そして、事故発生の際のエアバッグ展開膨張時の圧力を、シートパン、及び窪み部の下方に位置するブラケットが受けるように構成されている。ブラケットと窪み部の相対的な関係については、ブラケットから離間した状態の窪み部がエアバッグ展開膨張時にブラケットに当接することによって、エアバッグ展開膨張時の圧力が当該ブラケットへと及ぶ第１の構成、ブラケットに対し非接合にて当接した状態の窪み部がエアバッグ展開膨張時にブラケットを押圧することによって、エアバッグ展開膨張時の圧力が当該ブラケットへと及ぶ第２の構成、ブラケットに対し接合されて当接した状態の窪み部がエアバッグ展開膨張時にブラケットを押圧することによって、エアバッグ展開膨張時の圧力が当該ブラケットへと及ぶ第３の構成を採り得る。
このような構成によれば、エアバッグ展開膨張時の圧力がシートパンの窪み部からブラケットへと及ぶため、シートパン及びブラケットの協働によって、車両シートの軽量化を図りつつ強度を確保することが可能となる。
【００１３】
本発明にかかる車両は、前記の車両シートと、車両シートに着座した車両乗員を拘束するシートベルトを少なくとも備える。そして、車両シートに着座している車両乗員に対しシートベルトが装着されたシートベルト装着状態において、事故発生の際の当該車両乗員の腰部の前方移動に伴って当該車両乗員が座面に沿ってシートベルトを潜ろうとする動作、いわゆる「サブマリン現象」と称呼される現象の発生を、車両シートに搭載されたエアバッグモジュールによって阻止する構成とされる。
従って、エアバッグモジュールの組み付け性の向上を図ることが可能な車両が提供される。
【００１４】
本発明にかかるエアバッグモジュールは、前記の車両シートの構成要素であるエアバッグモジュールと実質的に同様の構成を有する。
従って、エアバッグモジュールの組み付け性の向上を図ることが可能となる。
【発明の効果】
【００１５】
以上のように、本発明によれば、事故発生の際に車両シート着座状態の車両乗員の車両前方への移動に抗してエアバッグがシートクッション下方から上方へと展開膨張する構成のエアバッグモジュールを搭載した車両シートにおいて、特にシートパンに設けた下方へと窪んだ窪み部がエアバッグモジュールを保持可能な構成を採用することによって、エアバッグモジュールの組み付け性の向上を図ることが可能となった。
【発明を実施するための最良の形態】
【００１６】
以下、本発明の実施の形態につき図面を参照しつつ詳細に説明する。まず、図１及び図２を参照しながら、本発明の「車両シート」の一実施の形態である車両シート１００の構成を説明する。ここで、図１は、本実施の形態の車両シート１００の内部構造を示す図であって、車両斜め後方からみた斜視図である。また、図２は、図１中のＡ−Ａ線における断面図である。
【００１７】
図１に示すように、本実施の形態の車両シート１００は、車両に装着される車両シートであって、シートフレーム１０、シートパン２０、エアバッグモジュール３０を主体に構成されている。この車両シート１００は、運転者が着座する運転席シートや、助手席シートとして構成される。また、この車両シート１００が搭載された車両には、更に、車両シート１００に着座した乗員に対し装着されるシートベルト（本発明における「シートベルト」に相当する）が搭載されている。なお、図１中の「ＦＲ」の方向が車両前方であり、「ＵＰ」の方向が車両上方である。
【００１８】
シートフレーム１０は、車両シート１００の骨格部分を形成するフレームとして構成され、ベースフレーム１２及びバックフレーム１４を少なくとも備える。このシートフレーム１０が、本発明における「シートフレーム」に相当する。ベースフレーム１２には、ウレタン材料等の柔軟性を有する素材によって形成されたシートクッション（図示省略）が装着され、このシートクッションが車両シート１００の座面を構成する。また、バックフレーム１４には、ウレタン材料等の柔軟性を有する素材によって形成されたシートバック（図示省略）が装着され、このシートバックが車両シート１００の背面を構成する。更に、シートクッション及びシートバックの外表面は、革や布等からなる表皮（図示省略）によって覆われている。
【００１９】
ベースフレーム１２は、シートクッション下方に配設されるフレームであり、車両シート１００の前後方向（車両の前後方向に合致する）に延在する左右一対のサイドフレーム１２ａ，１２ｂ（左側サイドフレーム１２ａ及び右側サイドフレーム１２ｂ）を有する。ここでいう左側サイドフレーム１２ａが、本発明における「左側サイドフレーム」に相当し、右側サイドフレーム１２ｂが、本発明における「右側サイドフレーム」に相当する。
また、ベースフレーム１２の上部側には、サイドフレーム１２ａ，１２ｂ間に補強用のブラケット１３が架設される。このブラケット１３は、所定の板厚を有する板状（図１では湾曲板状）に構成され、サイドフレーム１２ａ，１２ｂに対し溶接、若しくはボルトナットによる締結などによって接続される。このブラケット１３は、シートパン２０を支持する支持部材であり、且つサイドフレーム１２ａ，１２ｂを連結保持する保持部材として構成される。また、このブラケット１３は、サイドフレーム１２ａ，１２ｂを連結する際の位置決めを兼ねており組み付け性がよい。このブラケット１３が、本発明における「ブラケット」に相当する。
【００２０】
バックフレーム１４は、ベースフレーム１２に対し、支軸１５及びリクライニングデバイス（図示省略）を介して回動可能に連結されたフレームである。このバックフレーム１４の上部には、車両乗員の頭部に対応した位置にヘッドレスト１６が取り付けられる。
【００２１】
シートパン２０は、ブラケット１３の上方であって且つシートクッション下方にて、左右一対のサイドフレーム１２ａ，１２ｂを上方から覆うように架設される。このシートパン（seat  pan）２０は、車両シート１００の座席底面を構成する部材であって、特にはシートクッションを受けるシートクッションパネル、シートクッションフレームないしシートクッションボードとしても定義され得る。詳細については後述するが、このシートパン２０は、ボルトナットによる２箇所の締結によってブラケット１３に取り付けられている。このシートパン２０を、サイドフレーム１２ａ，１２ｂに対し溶接、若しくはボルトナットによる締結などによって接合することもできる。このシートパン２０は、シートクッションからの荷重を受ける機能を有する。このシートパン２０が、本発明における「シートパン」に相当する。
また、このシートパン２０には、エアバッグモジュール３０を収容する収容部２１が設けられている。この収容部２１が、本発明における「エアバッグモジュール収容部」に相当する。本実施の形態では、この収容部２１は、下方へと窪んだ窪み部２３（「凹み部」、「凹部」或いは「凹み領域」ともいう）を有する構成とされる。この窪み部２３は、当該窪み部２３にエアバッグモジュール３０を保持することが可能な部位とされる。
【００２２】
図２に示すように、この収容部２１は、窪み部２３の底面を構成する第１延在部２０ａと、その第１延在部２０ａよりも後方（図２中の右側）にて延在する第２延在部２０ｂを備え、これら第１延在部２０ａ及び第２延在部２０ｂとの間における上下方向の高低差によって段差部（本発明における「段差部」に相当する）が付与されている。具体的には、第１延在部２０ａが第２延在部２０ｂよりも低所に延在するように構成されている。この窪み部２３（第１延在部２０ａ）が、本発明における「窪み部」に相当し、第２延在部２０ｂにて形成される領域が、本発明における「外部領域」に相当する。また、この収容部２１は、後ろ側斜め上方に向けて開口されている。従って、エアバッグモジュール３０のエアバッグ（後述するエアバッグ３１）の展開方向（「突出方向」ともいう）は、図２中の矢印４０方向で示すような後ろ側斜め上方とされる。詳細については後述するが、本構成によれば、下方へと窪んだ窪み部２３によるエアバッグモジュール３０の保持機能（或いは位置決め機能）によって、エアバッグモジュール３０を収容部２１に収容する作業、及びエアバッグモジュール３０をシートパン２０側に取り付け固定する作業の円滑化が図られる。
【００２３】
また、本構成によれば、窪み部２３の適正な位置にエアバッグモジュール３０が保持されたとき、この保持状態のエアバッグモジュール３０は、第１延在部２０ａ及び第２延在部２０ｂとの間の段差部よりも前側に位置するようになっている。従って、窪み部２３に保持されたエアバッグモジュール３０が段差部を被覆する第１の状態と、当該被覆が解除された第２の状態との視認結果に基づいて、当該エアバッグモジュール３０の第２延在部２０ｂ側へのはみ出しが判別可能である。すなわち、段差部の全部或いは一部が視認できない場合には、エアバッグモジュール３０が段差部を被覆した第１の状態であり、エアバッグモジュール３０の後端面が段差部を越えて第２延在部２０ｂ側にはみ出していると判別される。このとき、エアバッグモジュール３０が適正な位置にないと判定することができる。一方、段差部の全部が視認できる場合には、エアバッグモジュール３０が段差部を被覆していない第２の状態であり、エアバッグモジュール３０の後端面が段差部を越えず第２延在部２０ｂ側にはみ出していないと判別される。このとき、エアバッグモジュール３０が適正な位置にあると判定することができる。エアバッグモジュール３０の第２延在部２０ｂ側へのはみ出しを判別することによって、収容部２１を被覆するエアバッグカバーによって当該エアバッグモジュール３０が挟み込まれるのを防止することが可能となる。第１延在部２０ａ及び第２延在部２０ｂとの間の段差部は、エアバッグモジュール３０の第２延在部２０ｂ側へのはみ出しを判別可能な機構とされ、本発明における「判別機構」を構成する。段差部の視認性に関しては、当該段差部に着色ラインを施すことによって、段差部の更なる視認性向上を図ることが可能となる。
【００２４】
なお、本実施の形態のシートパン２０の収容部２１は、下方へと窪んだ窪み部２３を有する構成ゆえ、収容状態（非作動時）のエアバッグモジュール３０の保護が図られる。また、このシートパン２０には、エアバッグモジュール３０を収容した状態の収容部２１を被覆するエアバッグカバー（図示省略）が装着されるようになっており、このエアバッグカバーによって収容状態のエアバッグモジュール３０の更なる保護向上が図られる。
【００２５】
図２に示すように、エアバッグモジュール３０は、エアバッグ３１、ガス発生器（「インフレータ」ともいう）３２、リテーナー３３を少なくとも備える。このエアバッグモジュール３０が、本発明における「エアバッグモジュール」に相当する。
【００２６】
エアバッグ３１は、所定の折り畳み態様にて折り畳まれて収容されるとともに、事故発生の際にガス発生器３２にて発生したガスが供給されることによって展開膨張するエアバッグ体として構成される。具体的には、エアバッグ３１は、事故発生の際に車両シート着座状態の車両乗員の車両前方への移動に抗してシートクッション下方から上方へと展開膨張する。これによって、車両シート１００に着座している車両乗員に対しシートベルトが装着されたシートベルト装着状態において、事故発生の際の当該車両乗員の腰部の前方移動に伴って当該車両乗員が座面に沿ってシートベルトを潜ろうとする現象、いわゆる「サブマリン現象」が阻止され、或いは抑制される。ここでいうエアバッグ３１が、本発明における「エアバッグ」に相当し、ガス発生器３２によって本発明における「ガス供給部」が構成される。
【００２７】
リテーナー３３は、ガス発生器３２を収容する部材として構成される。このリテーナー３３が、本発明における「リテーナー」に相当する。このリテーナー３３には、エアバッグモジュール３０をベースフレーム１２側に取り付け固定するための固定用ボルト３４が設けられている。この固定用ボルト３４によって、エアバッグモジュール３０がベースフレーム１２側に取り付け固定されている。具体的には、シートパン２０の収容部２１にエアバッグモジュール３０を収容した状態において、シートパン２０及びブラケット１３を貫通する貫通孔２２に固定用ボルト３４が挿設可能とされている。従って、貫通孔２２に挿設された固定用ボルト３４とナット３６とを互いに締結（螺合）させることによって、リテーナー３３、シートパン２０及びブラケット１３の三つの部材が互いに共締めによって固定（「共締め固定」ともいう）されて一体化されることとなる。この場合、ナット３６はブラケット１３とは別体の構成であってもよいし、或いはブラケット１３に一体状に接合された構成であってもよい。このナット３６は、固定用ボルト３４に締結される部材であり、本発明における「被固定部」を構成する。また、貫通孔２２としては、丸孔、長孔、スリット等の形状を適宜選択することができる。ここでいう固定用ボルト３４が、本発明における「固定部材」及び「固定用ボルト」に相当する。
【００２８】
なお、本実施の形態では、固定用ボルト３４のボルト軸の延在方向と、図２中の矢印４０方向に沿ったエアバッグ３１の展開方向とが概ね合致する構成とされる。このような構成によれば、固定用ボルト３４の締結力をエアバッグ展開膨張時におけるエアバッグ荷重に抗する力として効率的に使用することが可能となる。
【００２９】
ここで、本実施の形態のエアバッグモジュール３０をシートパン２０の収容部２１に収容する作業、及び当該エアバッグモジュール３０をシートパン２０側に取り付け固定する作業につき、図３〜図６を参照しつつ説明する。
【００３０】
図３は、エアバッグモジュール３０をシートパン２０の収容部２１に収容する作業の概要を示す斜視図である。図３に示すように、エアバッグモジュール３０の収容作業においては、まず、エアバッグモジュール３０側の固定用ボルト３４が、シートパン２０の収容部２１に向かうようにして、当該エアバッグモジュール３０を収容部２１へと移動させる。
【００３１】
引き続きエアバッグモジュール３０をシートパン２０側に取り付け固定するまでの作業に関しては、例えば図４〜図６に示す３つのステップを少なくとも用いて行うことが可能である。ここで、図４〜図６は、いずれもエアバッグモジュール３０をシートパン２０の収容部２１に取り付け固定する過程を示す断面図である。
【００３２】
図４に示すように、第１のステップでは、エアバッグモジュール３０をガス発生器３２側が下側になるように向けた状態で、シートパン２０の上方から窪み部２３（第１延在部２０ａ）に向けて挿設する。これにより、図５に示すようなエアバッグモジュール３０の仮保持状態が形成される。このとき、固定用ボルト３４のボルト軸は概ね左右方向へと延在する。
【００３３】
次に、図５に示すように、第２のステップでは、仮保持状態のエアバッグモジュール３０のモジュール下部３５を、第１延在部２０ａ及び第２延在部２０ｂとの間の段差部に当接させた状態で、当該段差部を回動支点としてエアバッグモジュール３０を図５中の矢印４１方向へと回転させる。そして、この回転によって固定用ボルト３４を貫通孔２２に近接させる。これにより、図６に示すように固定用ボルト３４が貫通孔２２に挿設された挿設状態が形成される。固定用ボルト３４の挿入し易さを考慮した場合、貫通孔２２としては上下方向に延在する長孔を用いるのが好ましい。
【００３４】
最後に、図６に示すように、第３のステップでは、固定用ボルト３４とナット３６を互いに締結することによって、リテーナー３３、シートパン２０及びブラケット１３が互いに共締め固定され一体化された状態（図２に示す状態）が形成される。このとき、固定用ボルト３４によりエアバッグモジュール３０、シートパン２０及びブラケット１３が共締め固定されることで、事故発生の際のエアバッグ展開膨張時の圧力、すなわちエアバッグモジュール作動時の荷重を、共締め固定によって一体化されたシートパン２０及びブラケット１３が受けることとなる。
【００３５】
このとき、シートパン２０の板厚に当該シートパン２０と共締め固定されたブラケット１３の板厚が加わることによって当該シートパンの強度を高めることができるため、その分、シートパン２０の板厚を抑えたうえで、車両シート１００に必要とされる強度を確保することが可能となる。すなわち、リテーナー３３、シートパン２０及びブラケット１３の協働によって、車両シート１００の軽量化を図りつつ強度を確保することが可能となる。なお、シートパン２０の板厚を抑える仕様を考慮した場合、シートパン２０の板厚ｄ１とブラケット１３の板厚ｄ２に関しては、ｄ１≦ｄ２との関係に基づいて設定されるのが好ましい。
【００３６】
また、共締め固定によってシートパン２０とブラケット１３との接触などによる異音の発生を防止することができ、またシートパン２０の強度を高めることによって、車両シート１００の座り心地を向上させることが可能となる。
【００３７】
また、共締め固定によってシートパン２０をブラケット１３に固定する構成であり、シートパン２０を溶接等によって左側サイドフレーム１２ａ及び右側サイドフレーム１２ｂに固定しなくても済むため、車両シート１００の製造工程を簡素化することが可能となる。
【００３８】
上記第１〜第３のステップを順次遂行することによって、エアバッグモジュール３０をシートパン２０側に取り付け固定する作業が円滑化される。特に、第２及び第３のステップにおいて、エアバッグモジュール３０を固定用ボルト３４によってシートパン側に締結するまでの間、窪み部２３に保持されたエアバッグモジュール３０のモジュール下部３５を、第１延在部２０ａ及び第２延在部２０ｂとの間の段差部に終始当接させることによって、エアバッグモジュール３０の位置決めがなされるため、エアバッグモジュール３０の組み付け性の向上を図ることが可能となる。
【００３９】
（他の実施の形態）
なお、本発明は上記の実施の形態のみに限定されるものではなく、種々の応用や変形が考えられる。例えば、上記実施の形態を応用した次の各形態を実施することもできる。
【００４０】
上記実施の形態のシートパン２０では、エアバッグモジュール３０を収容する収容部２１は後ろ斜め上方に向けて開口する場合について記載したが、本発明においてシートパンの構成は、必要に応じて適宜変更可能である。例えば、図７〜図９に示す各実施の形態を採用することもできる。
【００４１】
図７は、別の実施の形態のシートパン１２０及びエアバッグモジュール１３０の構成を示す斜視図である。
図７に示す実施の形態のシートパン１２０では、エアバッグモジュール１３０を収容する収容部１２１は上方に向けて開口する構成とされる。この収容部１２１に収容されるエアバッグモジュール１３０では、リテーナー３３の下部に固定用ボルト３４が取り付けられている。従って、エアバッグモジュール１３０を、固定用ボルト３４を下向きにした状態で収容部１２１の上方から挿設し、固定用ボルト３４を貫通孔２２に挿入して締結する。これにより、エアバッグモジュール１３０がシートパン１２０側に取付け固定される。このエアバッグモジュール１３０では、事故発生の際に展開膨張するエアバッグ３１の展開方向は、図７中の矢印４２によって示すような車両上方であり、当該方向は固定用ボルト３４のボルト軸の延在方向と概ね合致する。
【００４２】
また、図８は、別の実施の形態のシートパン２２０及びエアバッグモジュール２３０の構成を示す斜視図である。
図８に示す実施の形態のシートパン２２０では、エアバッグモジュール２３０を収容する収容部２２１は上方に向けて開口する構成とされる。収容部２２１は、上下方向に関し高低差が付与された段差構造とされており、相対的に深さの深い位置はリテーナー３３を収容する第１収容領域２２１ａとされ、相対的に深さの浅い位置はリテーナー３３よりも上方のエアバッグ３１部分を収容する第２収容領域２２１ｂとされる。この収容部２２１に収容されるエアバッグモジュール２３０では、リテーナー３３の下部に固定用ボルト３４が取り付けられている。従って、エアバッグモジュール２３０を、固定用ボルト３４を下向きにした状態で収容部２２１の上方から挿設し、固定用ボルト３４を貫通孔２２に挿入して締結することによって、エアバッグモジュール２３０がシートパン２２０側に取付け固定される。このエアバッグモジュール２３０では、事故発生の際に展開膨張するエアバッグ３１の展開方向は、図８中の矢印４２によって示すような車両上方であり、当該方向は固定用ボルト３４のボルト軸の延在方向と概ね合致する。
【００４３】
また、図９は、別の実施の形態のシートパン３２０及びエアバッグモジュール３３０の構成を示す斜視図であり、図１０は、図９中のＢ−Ｂ線における断面図である。
図９に示す実施の形態のシートパン３２０は、シートパン２０と同様の収容部２１を備えるが、更に左右一対の収容部２４，２４を備える構成とされる。一方、図１０に示すように、この収容部２１に収容されるエアバッグモジュール３３０では、リテーナー３３に左右一対のボルト用ブラケット３３ａ，３３ａが設けられており、各ボルト用ブラケット３３ａは各収容部２４に収容された状態で、固定用ボルト３４及びナット３６によってシートパン３２０及びブラケット１３に共締め固定されている。このエアバッグモジュール３３０では、事故発生の際に展開膨張するエアバッグ３１の展開方向は、エアバッグモジュール３０の場合と同様に、図１０中の矢印４０方向で示すような後ろ側斜め上方とされる。
【００４４】
ここで、図１１は、エアバッグモジュール３３０をシートパン３２０の収容部２１に収容する作業の概要を示す斜視図である。図１１に示すように、エアバッグモジュール３３０の収容作業においては、まず、エアバッグモジュール３３０側の固定用ボルト３４が、シートパン３２０の収容部２４に向かうようにして、当該エアバッグモジュール３３０を収容部２１へと移動させる。そして、シートパン３２０及びブラケット１３を貫通する貫通孔２２に固定用ボルト３４を挿入したのち、固定用ボルト３４とナット３６を互いに締結することによって、リテーナー３３、シートパン３２０及びブラケット１３が互いに共締め固定された状態が形成される。
【００４５】
また、上記実施の形態では、所定の板厚を有する板状（図１では湾曲板状）に構成されたブラケット１３について記載したが、このブラケット１３に相当する部材の構造はこれに限定されるものではなく、必要に応じて種々変更可能である。具体的には、筒状に形成されたパイプ状部材を潰して平板状とした部材に共締め用の貫通孔を設けた構成体や、複数のパイプ状部材に架設された板状部材に共締め用の貫通孔を設けた構成体や、箱状に絞られた或いは曲げ加工によって箱状に成形された部材に共締め用の貫通孔を設けた構成体などを、ブラケット１３に代わる部材として用いることもできる。
【００４６】
また、上記実施の形態では、エアバッグ展開膨張時の圧力がシートパン２０の窪み部２３から当該シートパン２０に共締め固定されたブラケット１３へと及ぶ場合について記載したが、本発明では、シートパン２０の窪み部２３とブラケット１３との相対的な関係については、別の構成を採用することもできる。例えば、ブラケットから離間した状態の窪み部がエアバッグ展開膨張時にブラケットに当接することによって、エアバッグ展開膨張時の圧力が当該ブラケットへと及ぶ構成や、ブラケットに対し非接合にて当接した状態の窪み部がエアバッグ展開膨張時にブラケットを押圧することによって、エアバッグ展開膨張時の圧力が当該ブラケットへと及ぶ構成を採用することもできる。
【００４７】
また、上記実施の形態では、運転者が着座する運転席シートや、助手席シートとして構成される車両シート１００の構成について説明したが、運転席シートや助手席シートを含む種々の車両シート、例えば後部席シートの構成に本発明を特徴部分を適用することもできる。この場合の車両には、自動車、飛行機、船舶、電車、バス、トラック等、車両乗員を乗せて移動する各種の車両が包含される。
【図面の簡単な説明】
【００４８】
【図１】本実施の形態の車両シート１００の内部構造を示す図であって、車両斜め後方からみた斜視図である。
【図２】図１中のＡ−Ａ線における断面図である。
【図３】エアバッグモジュール３０をシートパン２０の収容部２１に収容する作業の概要を示す斜視図である。
【図４】エアバッグモジュール３０をシートパン２０の収容部２１に取り付け固定する過程を示す断面図である。
【図５】エアバッグモジュール３０をシートパン２０の収容部２１に取り付け固定する過程を示す断面図である。
【図６】エアバッグモジュール３０をシートパン２０の収容部２１に取り付け固定する過程を示す断面図である。
【図７】別の実施の形態のシートパン１２０及びエアバッグモジュール１３０の構成を示す斜視図である。
【図８】別の実施の形態のシートパン２２０及びエアバッグモジュール２３０の構成を示す斜視図である。
【図９】別の実施の形態のシートパン３２０及びエアバッグモジュール３３０の構成を示す斜視図である。
【図１０】図９中のＢ−Ｂ線における断面図である。
【図１１】エアバッグモジュール３３０をシートパン３２０の収容部２１に収容する作業の概要を示す斜視図である。
【符号の説明】
【００４９】
１０  シートフレーム
１２  ベースフレーム
１２ａ  左側サイドフレーム
１２ｂ  右側サイドフレーム
１３  ブラケット
１４  バックフレーム
１５  支軸
１６  ヘッドレスト
２０，１２０，２２０，３２０  シートパン
２０ａ  第１延在部
２０ｂ  第２延在部
２１  収容部
２２  貫通孔
２３  窪み部
２４  収容部
３０，１３０，２３０，３３０  エアバッグモジュール
３１  エアバッグ
３２  ガス発生器
３３  リテーナー
３３ａ  ボルト用ブラケット
３４  固定用ボルト
３５  モジュール下部
３６  ナット
１００  車両シート
【図１】
0004812466.tif 000002
【図２】
0004812466.tif 000003
【図３】
0004812466.tif 000004
【図４】
0004812466.tif 000005
【図５】
0004812466.tif 000006
【図６】
0004812466.tif 000007
【図７】
0004812466.tif 000008
【図８】
0004812466.tif 000009
【図９】
0004812466.tif 000010
【図１０】
0004812466.tif 000011
【図１１】
0004812466.tif 000012